(57)【要約】【課題】  再充填により密閉性が低下するのを防ぐ。【解決手段】  一端側に開口部を有する有底筒状のメス側筒状部材５１と、逆端側に開口部を有する有底筒状のオス側筒状部材５２とを備え、メス側筒状部材５１の開口部側に、オス側筒状部材５２の開口部側を挿入し嵌め合わせ、これらメス側筒状部材５１とオス側筒状部材５２のうち、何れか一方の筒状部材を上側に配置して該筒状部材に筆記具本体１を挿入するための挿入口５２ａ１を設け、下側に位置する他方の筒状部材にインクを貯溜するようにしたインク補給具において、メス側筒状部材５１は、その内周面に環状突起５１ｅを有し、オス側筒状部材５２は、周壁に厚肉部５２ｂ１を有するとともに、厚肉部５２ｂ１よりも開口部側の周壁に、厚肉部５２ｂ１よりも肉厚が小さく且つメス側筒状部材５１の周壁よりも肉厚が小さい薄肉部５２ｂ２を有し、この薄肉部５２ｂ２の外周面を環状突起５１ｅに圧接している。【選択図】  図３
2022002877.tif 000002
【特許請求の範囲】
【請求項１】
一端側に開口部を有する有底筒状のメス側筒状部材と、逆端側に開口部を有する有底筒状のオス側筒状部材とを備え、前記メス側筒状部材の開口部側に、前記オス側筒状部材の開口部側を挿入し嵌め合わせ、これらメス側筒状部材とオス側筒状部材のうち、何れか一方の筒状部材を上側に配置して該筒状部材に筆記具本体を挿入するための挿入口を設け、下側に位置する他方の筒状部材にインクを貯溜するようにしたインク補給具において、
前記メス側筒状部材は、その内周面に環状突起を有し、
前記オス側筒状部材は、周壁に厚肉部を有するとともに、前記厚肉部よりも開口部側の周壁に、前記厚肉部よりも肉厚が小さく且つ前記メス側筒状部材の周壁よりも肉厚が小さい薄肉部を有し、この薄肉部の外周面を前記環状突起に圧接していることを特徴とするインク補給具。
【請求項２】
前記メス側筒状部材は、その内周面における前記環状突起よりも開口部側にメネジ部を有し、
前記オス側筒状部材は、前記薄肉部よりも底部側に位置する前記厚肉部の外周面に、前記メネジ部に螺合するオネジ部を有し、さらに、該オネジ部よりも底部側の外周面に、前記メス側筒状部材の開口部側の端部に当接してねじ込み量を規制する規制凸部を有することを特徴とする請求項１記載のインク補給具。
【請求項３】
前記薄肉部の肉厚を、その周囲部分の前記メス側筒状部材の周壁の肉厚の１／２以下に設定したことを特徴とする請求項１又は２記載のインク補給具。
【請求項４】
請求項１〜３何れか１項記載のインク補給具と、前記挿入口に挿入可能な筆記具本体とを具備したことを特徴とする補給式筆記具セット。
【発明の詳細な説明】
【技術分野】
【０００１】
本発明は、装着される筆記具本体の中芯にインクを補給するためのインク補給具、及びこのインク補給具を備えた補給式筆記具セットに関するものである。
【背景技術】
【０００２】
従来、この種の発明には、特許文献１に記載されるように、インクを収容する容器と、この容器の一部に形成されたマーキングペン挿入口と、この挿入口から容器内へ延びる筒状の嵌合部及び保持筒と、保持筒の底側に挿入されたインク吸収体とを備え、前記挿入口から挿入されたマーキングペンのペン先に、前記インク吸収体を接触させて、インクを補給するようにしたマーキングペン用インク補給具がある。
【先行技術文献】
【特許文献】
【０００３】
【特許文献１】特開平０９−０５２４９０公報
【発明の概要】
【発明が解決しようとする課題】
【０００４】
ところで、上記従来技術において、容器内のインクを消費しきってしまった場合に、容器内へのインクの再充填を容易にするために、前記容器を着脱可能な２部材から構成することが提案される。
しかしながら、このような構成にする場合、着脱箇所の摩耗によって密閉性が損なわれないように工夫を要する。
【課題を解決するための手段】
【０００５】
このような課題に鑑みて、本発明は、以下の構成を具備するものである。
一端側に開口部を有する有底筒状のメス側筒状部材と、逆端側に開口部を有する有底筒状のオス側筒状部材とを備え、前記メス側筒状部材の開口部側に、前記オス側筒状部材の開口部側を挿入し嵌め合わせ、これらメス側筒状部材とオス側筒状部材のうち、何れか一方の筒状部材を上側に配置して該筒状部材に筆記具本体を挿入するための挿入口を設け、下側に位置する他方の筒状部材にインクを貯溜するようにしたインク補給具において、前記メス側筒状部材は、その内周面に環状突起を有し、前記オス側筒状部材は、周壁に厚肉部を有するとともに、前記厚肉部よりも開口部側の周壁に、前記厚肉部よりも肉厚が小さく且つ前記メス側筒状部材の周壁よりも肉厚が小さい薄肉部を有し、この薄肉部の外周面を前記環状突起に圧接していることを特徴とするインク補給具。
【発明の効果】
【０００６】
本発明は、以上説明したように構成されているので、メス側筒状部材とオス側筒状部材の着脱によって内部にインクを容易に再充填できる上、その再充填作業により着脱箇所の密閉性が低下するのを防ぐことができる。
【図面の簡単な説明】
【０００７】
【図１】本発明に係るインク補給具を備えた補給式筆記具セットの一例を示す斜視図であり、（ａ）は筆記具本体がインク補給具に装着された状態、（ｂ）は筆記具本体がインク補給具に装着される前の状態を示す。
【図２】インク補給具の一例を示す全断面図である。
【図３】同インク補給具の要部拡大断面図である。
【図４】オス側筒状部材をメス側筒状部材から外した状態を示す要部拡大断面図である。
【図５】オス側筒状部材と第二のインク誘導体の接続構造を示す斜視図である。
【発明を実施するための形態】
【０００８】
本実施の形態では、以下の特徴を開示している。
第１の特徴は、一端側に開口部を有する有底筒状のメス側筒状部材と、逆端側に開口部を有する有底筒状のオス側筒状部材とを備え、前記メス側筒状部材の開口部側に、前記オス側筒状部材の開口部側を挿入し嵌め合わせ、これらメス側筒状部材とオス側筒状部材のうち、何れか一方の筒状部材を上側に配置して該筒状部材に筆記具本体を挿入するための挿入口を設け、下側に位置する他方の筒状部材にインクを貯溜するようにしたインク補給具において、前記メス側筒状部材は、その内周面に環状突起を有し、前記オス側筒状部材は、周壁に厚肉部を有するとともに、前記厚肉部よりも開口部側の周壁に、前記厚肉部よりも肉厚が小さく且つ前記メス側筒状部材の周壁よりも肉厚が小さい薄肉部を有し、この薄肉部の外周面を前記環状突起に圧接している（図２〜図４参照）。
【０００９】
第２の特徴として、前記メス側筒状部材は、その内周面における前記環状突起よりも開口部側にメネジ部を有し、前記オス側筒状部材は、前記薄肉部よりも底部側に位置する前記厚肉部の外周面に、前記メネジ部に螺合するオネジ部を有し、さらに、該オネジ部よりも底部側の外周面に、前記メス側筒状部材の開口部側の端部に当接してねじ込み量を規制する規制凸部を有する（図２〜図３参照）。
【００１０】
第３の特徴は、前記薄肉部の肉厚を、その周囲部分の前記メス側筒状部材の周壁の肉厚の１／２以下に設定した（図３参照）。
【００１１】
第４の特徴は、前記インク補給具と、前記挿入口に挿入可能な筆記具本体とを具備して補給式筆記具セットを構成した（図１参照）。
【００１２】
＜具体的実施態様＞
次に、上記特徴を有する具体的な実施態様について、図面に基づいて詳細に説明する。
図１は、本発明に係るインク補給具を備えた補給式筆記具セットの一例を示す。
この補給式筆記具セットＡは、前方へ突出する筆記部３０を具備した筆記具本体１と、この筆記具本体１が着脱されるインク補給具２とを具備している。
【００１３】
筆記具本体１は、インク補給具２の筆記部導入筒部５２ｃに抜差し可能に嵌合する軸筒１０と、軸筒１０の前端側に支持されて軸筒１０内のインクを吐出する筆記部３０とを備え、例えば、サインペンやマーカーペン等を構成する。
なお、図１中、符号４０は、撓み片部４３を撓ませる操作により軸筒１０と筆記部導入筒部５２ｃとの嵌合状態を解除する係脱操作部４０である。
【００１４】
インク補給具２は、インク容器５０と、第一及び第二のインク誘導体６０，７０と、インク容器５０内に貯溜したインクとから構成され、インク容器５０に挿入される筆記部３０に対し、第二のインク誘導体７０を接触させて、インクを補給する。
【００１５】
インク容器５０は、開口部を一端側（図２によれば上端側）に有する有底筒状のメス側筒状部材５１と、開口部を逆端側（下端側）に有する有底筒状のオス側筒状部材５２とを備える。このインク容器５０は、メス側筒状部材５１の開口部側に、オス側筒状部材５２の開口部側を挿入し嵌め合わせ、オス側筒状部材５２をメス側筒状部材５１の上側に配置している。オス側筒状部材５２には、筆記具本体１を挿入するための挿入口５２ａ１が設けられ、メス側筒状部材５１には、第二のインク誘導体７０よりも下側に、インクが貯溜される。
【００１６】
メス側筒状部材５１は、上方を開口した周壁５１ｂの下端側を底壁部５１ａにより塞いだ有底筒状に形成される。
【００１７】
底壁部５１ａの内面には、複数の柱状部材を環状に配設してなる支持部５１ｃが設けられる。この支持部５１ｃは、第一のインク誘導体６０の外周面に接して第一のインク誘導体６０を鉛直状に支持する（図２参照）。
【００１８】
また、周壁５１ｂの内周面には、上端位置を略同じ高さにした複数の縦リブ５１ｂ１が、周方向に間隔を置いて配設される。
各縦リブ５１ｂ１は、底壁部５１ａから上方へ延設され、その上端部を、第二のインク誘導体７０の下面よりも下側に配置している。
これら複数の縦リブ５１ｂ１は、周壁５１ｂの径方向外側への撓みを抑制する補強リブとして機能するとともに、メス側筒状部材５１内に充填されるインク表面の上限位置の目安としても機能する。
【００１９】
そして、周壁５１ｂの内周面の上半部側には、インク容器５０に圧接される環状突起５１ｅと、環状突起よりも開口部側（図示例によれば上側）に位置するメネジ部５１ｄと、メネジ部５１ｄよりもさらに開口部側に位置するガイド面部５１ｆとが設けられる。
【００２０】
環状突起５１ｅは、縦断面凸曲状に形成され、周壁５１ｂの全周にわたって連続している。
ガイド面部５１ｆは、凹凸の無い内周面であり、オス側筒状部材５２を挿入する際の案内面として機能する。
【００２１】
オス側筒状部材５２は、下方を開口した円筒状の周壁５２ｂと、この周壁５２ｂの上端部を覆う上底部５２ａと、上底部５２ａの中央側から下方へ延設されその下端部をインク表面よりも上方側で第二のインク誘導体７０の上面に接する筆記部導入筒部５２ｃとを一体に具備している。
【００２２】
周壁５２ｂは、比較的厚肉の略円筒状に形成された厚肉部５２ｂ１と、この厚肉部５２ｂ１よりも開口部側（図示例によれば下方側）に位置するとともに厚肉部５２ｂ１よりも肉厚が小さく且つメス側筒状部材５１の周壁５１ｂよりも肉厚が小さい略円筒状の薄肉部５２ｂ２とを有し、この薄肉部５２ｂ２の外周面を、メス側筒状部材５１の環状突起５１ｅに圧接している。
【００２３】
厚肉部５２ｂ１は、その外周面に、メス側筒状部材５１のメネジ部５１ｄに螺合するオネジ部５２ｄを有し、さらに、このオネジ部５２ｄよりも上底部５２ａ側の外周面に、メス側筒状部材５１の開口部側の端部に当接してねじ込み量を規制する規制凸部５２ｅを有する。
【００２４】
規制凸部５２ｅは、図示例によれば、周方向へ連続する環状に形成され、その下側面を、メス側筒状部材５１の周壁５１ｂの上端面に対し、全周にわたって密接状に圧接している。
【００２５】
薄肉部５２ｂ２は、厚肉部５２ｂ１の肉厚ｔ１よりも小さく、且つメス側筒状部材５１の周壁５１ｂの肉厚ｔ３よりも小さい肉厚ｔ２の円筒状に形成される（図３参照）。
この薄肉部５２ｂ２の外周面は、凹凸の無い円筒状の面であり、メス側筒状部材５１の環状突起５１ｅに対し、全周にわたって圧接される。
薄肉部５２ｂ２は、環状突起５１ｅとの圧接によって径方向内側へ適宜に撓むように、その肉厚ｔ２を、その周囲部分のメス側筒状部材５１の周壁５１ｂの肉厚ｔ３に対し、１／２以下の比率になるように設定している（図３参照）。
すなわち、本願発明者等は、肉厚ｔ２が前記比率以下である場合には、薄肉部５２ｂ２が径方向内側へ適宜に変形し、エアタイト部分の摩耗や損傷を生じ難いことを実験的に確認した。
【００２６】
周壁５２ｂの内周面には、後述する第二のインク誘導体７０の周縁側に嵌り合う複数（図５の例示によれば４つ）の誘導体支持部５２ｆが設けられる。
各誘導体支持部５２ｆは、周壁５２ｂ内周面から径方向内側へ突出するとともに上下方向へ連続する突条であり、その突端側が、第二のインク誘導体７０の角部に嵌り合う入隅状に形成される。複数の誘導体支持部５２ｆは、組立作業中に、第二のインク誘導体７０がインク容器５０から外れないように、第二のインク誘導体７０に圧接される。
また、これら複数の誘導体支持部５２ｆ（突条）は、薄肉部５２ｂ２には設けられずに、その上底部５２ａ側の厚肉部５２ｂ１のみに設けられ、オス側筒状部材５２がメス側筒状部材５１へ挿入される際に厚肉部５２ｂ１が径方向内側へ撓むのを阻む補強部材としても機能する。
【００２７】
上底部５２ａは、略円盤状に形成され、その周縁部を、周壁５２ｂの上端に接続している。この上底部５２ａの中心側には、下方へ突出するように筆記部導入筒部５２ｃが設けられる。
【００２８】
筆記部導入筒部５２ｃは、内部空間を上下方向へ連続させた略円筒状に形成される。この筆記部導入筒部５２ｃは、インク容器５０の中心線上に位置し、その上端を上底部５２ａに接続して開口するとともに、その下端の開口部を、第二のインク誘導体７０に接する（図２参照）。
【００２９】
第一のインク誘導体６０は、メス側筒状部材５１内の底部側にて、水平方向に間隔を置いて複数（図示例によれば二つ）鉛直状に設けられる。
各第一のインク誘導体６０は、多数の連続気孔を有する多孔質樹脂から円柱状に形成され、下端側をインク内に没入するとともに上端側をインク表面よりも上方へ突出して、第二のインク誘導体７０に圧接している。
【００３０】
第二のインク誘導体７０は、多数の繊維を板状（図示例によれば矩形板状）に収束してなる繊維収束体であり、インク表面よりも上方側で、第一のインク誘導体６０に対し上方側から接するとともに筆記部導入筒部５２ｃに挿入される筆記部３０の下端側に接する。そして、この第二のインク誘導体７０は、毛細管力によって第一のインク誘導体６０から吸入するインクを筆記部３０に補給する。
この第二のインク誘導体７０の中心部には、筆記部導入筒部５２ｃ内と、第二のインク誘導体７０よりも下側であってインク表面よりも上側の空間とを連通するように、上下方向へ貫通する円形状の通気孔７１が設けられる。この通気孔７１は、筆記部３０の前端側部分よりも若干小さい外径に形成される。
【００３１】
よって、上記構成によれば、製造時に、メス側筒状部材５１に対しオス側筒状部材５２を挿入し螺合すると、薄肉部５２ｂ２が、環状突起５１ｅに圧接されて径方向内側へ弾性的に撓んで縮径する。この際、厚肉部５２ｂ１は、薄肉部５２ｂ２に相対して、殆ど縮径しない。
また、インク交換等のために、メス側筒状部材５１に対しオス側筒状部材５２が緩められ外されると、薄肉部５２ｂ２が、環状突起５１ｅから離れて径方向外側へ弾性的に復元して拡径する。
【００３２】
このように薄肉部５２ｂ２が適宜に撓むため、メス側筒状部材５１とオス側筒状部材５２の着脱が繰り返されることで、薄肉部５２ｂ２と環状突起５１ｅとの接触箇所が摩耗し、密閉性が低下するのを防ぐことができ、ひいては、インク漏れの発生を低減することができる。
しかも、万が一、薄肉部５２ｂ２と環状突起５１ｅとの接触箇所が摩耗したり損傷したりした場合でも、メス側筒状部材５１の上端に規制凸部５２ｅが全周にわたって密接するため、この密接によっても、インク漏れを防ぐことができる。
【００３３】
なお、上記実施態様によれば、インク容器５０を構成する下半部側の部材をメス側筒状部材５１とし、上半部側の部材をオス側筒状部材５２としたが、他例としては、前記構成とは上下逆に、インク容器５０を構成する下半部側の部材をオス側筒状部材とし、上半部側の部材をメス側筒状部材とすることも可能である。
【００３４】
また、本発明は上述した実施態様に限定されず、本発明の要旨を変更しない範囲で適宜変更可能である。
【符号の説明】
【００３５】
１：筆記具本体
２：インク補給具
５１：メス側筒状部材
５１ｄ：メネジ部
５１ｅ：環状突起
５２：オス側筒状部材
５２ａ１：挿入口
５２ｂ１：厚肉部
５２ｂ２：薄肉部
５２ｄ：オネジ部
５２ｅ：規制凸部
Ａ：補給式筆記具セット
【図１】
2022002877.tif 000003
【図２】
2022002877.tif 000004
【図３】
2022002877.tif 000005
【図４】
2022002877.tif 000006
【図５】
2022002877.tif 000007